(57)【特許請求の範囲】
【請求項１】
患者からの呼び出しに応答するためのナースコール親機と、患者が看護師を呼び出すためのナースコール子機と、前記ナースコール子機からの呼び出しを看護師に知らせるために病室毎に設けた廊下灯と、前記ナースコール親機および前記廊下灯を制御する制御機とを有するナースコールシステムにおいて、
前記廊下灯の少なくとも１つは、患者名等の患者情報を患者毎に表示する患者表示領域を有する液晶表示部を備えた液晶廊下灯であって、
前記液晶廊下灯は、前記ナースコール子機からの呼び出しが成されたら、呼出操作をした患者に対応する前記患者表示領域を識別可能とする表示動作を行い、且つ呼出操作をした患者の患者情報のうち患者氏名を非表示とすると共に、呼出操作をした患者に対応する救護区分、感染症、担当医師等の看護情報を前記患者表示領域に表示する制御を行う液晶廊下灯制御部を備えたことを特徴とするナースコールシステム。
【請求項２】
前記液晶廊下灯は、前記液晶表示部が前記表示動作中に所定の操作が成されると、呼出操作をした患者に対応する前記患者表示領域に前記非表示とした情報を表示する制御を行う液晶廊下灯制御部を備えたことを特徴とする請求項１記載のナースコールシステム。
【請求項３】
患者からの呼び出しに応答するためのナースコール親機と、患者が看護師を呼び出すためのナースコール子機と、前記ナースコール子機からの呼び出しを看護師に知らせるために病室毎に設けた廊下灯と、前記ナースコール親機および前記廊下灯を制御する制御機とを有するナースコールシステムにおいて、
前記廊下灯の少なくとも１つは、患者名等の患者情報を患者毎に表示する患者表示領域を有する液晶表示部を備えた液晶廊下灯であって、
前記液晶廊下灯は、前記ナースコール子機からの呼び出しが成されたら、呼出操作をした患者に対応する前記患者表示領域を識別可能とする表示動作を行い、且つ呼出操作をした患者の患者情報のうち少なくとも患者氏名を非表示とする制御を行う液晶廊下灯制御部を備え、
前記液晶廊下灯制御部は、前記液晶表示部が前記表示動作中に所定の操作が成されると、呼出操作をした患者に対応する前記患者表示領域に前記非表示とした情報を表示する制御を行うことを特徴とするナースコールシステム。
【請求項４】
前記液晶廊下灯は、人感センサを備えて、前記液晶表示部が前記表示動作中に前記人感センサが作動したら、呼出操作をした患者に対応する前記患者表示領域に前記非表示とした情報を表示する制御を行う液晶廊下灯制御部を備えたことを特徴とする請求項１記載のナースコールシステム。
【請求項５】
患者からの呼び出しに応答するためのナースコール親機と、患者が看護師を呼び出すためのナースコール子機と、前記ナースコール子機からの呼び出しを看護師に知らせるために病室毎に設けた廊下灯と、前記ナースコール親機および前記廊下灯を制御する制御機とを有するナースコールシステムにおいて、
前記廊下灯の少なくとも１つは、患者名等の患者情報を患者毎に表示する患者表示領域を有する液晶表示部を備えた液晶廊下灯であって、
前記液晶廊下灯は、前記ナースコール子機からの呼び出しが成されたら、呼出操作をした患者に対応する前記患者表示領域を識別可能とする表示動作を行い、且つ呼出操作をした患者の患者情報のうち少なくとも患者氏名を非表示とする制御を行う液晶廊下灯制御部を備え、
前記液晶廊下灯は人感センサを備えて、前記液晶表示部が前記表示動作中に前記人感センサが作動したら、前記液晶廊下灯制御部は呼出操作をした患者に対応する前記患者表示領域に前記非表示とした情報を表示する制御を行うことを特徴とするナースコールシステム。
【請求項６】
前記液晶廊下灯は、患者表示領域に前記非表示とした情報が表示されたら、所定時間後に少なくとも患者氏名を非表示にする制御を実施する液晶廊下灯制御部を備えたことを特徴とする請求項２乃至５の何れかに記載のナースコールシステム。
【発明の詳細な説明】
【技術分野】
【０００１】
本発明は、ナースコールシステムに関し、特に患者のプライバシー保護を考慮したナースコールシステムに関する。
【背景技術】
【０００２】
ナースコールシステムは、ナースステーションに設置され、患者からの呼び出しに応答するためのナースコール親機、個々の病床に設置され、患者が看護師を呼び出すためのナースコール子機、病室毎に設置されてナースコール子機からの呼び出しが成されたことを知らせる廊下灯等から構成され、ナースコール子機により呼出操作がなされたら、廊下灯が呼び出しのあることを表示し、ナースコール親機にて呼び出しがなされる。そして、呼び出しを受けて、応対した看護師はナースコール親機から呼び出した患者と通話ができるし、廊下灯の報知動作から呼び出しが成されていることを通りかかった看護師が知ることができる。
【０００３】
このようなナースコールシステムに使用される廊下灯は、例えば特許文献１に記載されているようなものがある。これは、液晶表示部を備え、患者氏名や患者の救護区分等を液晶表示部に表示させ、呼び出しが成された時等の必要なときのみ患者名等が表示されるようになっている。また、この場合、液晶表示部に表示する患者名等の表示情報の変更操作はナースコール親機にて可能となっている。
【０００４】
【特許文献１】特開平１０−１９２３４９号公報
【発明の開示】
【発明が解決しようとする課題】
【０００５】
このように廊下灯の表示を液晶表示とすることで、呼び出しが無い間は患者名等を表示しないようにできるため、プライバシーの保護に効果を奏することになる。しかし、上記特許文献１の液晶廊下灯は、複数の患者を表示する場合には適しておらず、この構成により複数の患者に対応させた場合、呼び出しがあった時には表示可能なすべての患者情報が表示されてしまい充分なプライバシーの保護が図れない。
【０００６】
そこで、本発明はこのような問題点に鑑み、一つの液晶廊下灯に複数の患者情報を表示させる場合であっても充分なプライバシーの保護が図れるナースコールシステムを提供することを目的とする。
【課題を解決するための手段】
【０００７】
上記課題を解決する為に、請求項１に記載の発明は、患者からの呼び出しに応答するためのナースコール親機と、患者が看護師を呼び出すためのナースコール子機と、ナースコール子機からの呼び出しを看護師に知らせるために病室毎に設けた廊下灯と、ナースコール親機および廊下灯を制御する制御機とを有するナースコールシステムにおいて、廊下灯の少なくとも１つは、患者名等の患者情報を患者毎に表示する患者表示領域を有する液晶表示部を備えた液晶廊下灯であって、液晶廊下灯は、ナースコール子機からの呼び出しが成されたら、呼出操作をした患者に対応する患者表示領域を識別可能とする表示動作を行い、且つ呼出操作をした患者の患者情報のうち患者氏名を非表示とすると共に、呼出操作をした患者に対応する救護区分、感染症、担当医師等の看護情報を患者表示領域に表示する制御を行う液晶廊下灯制御部を備えたことを特徴とする。
【０００８】
この構成により、複数の患者情報を表示する液晶廊下灯を備えていても、液晶廊下灯は、呼出操作をした患者の患者表示領域を識別可能とする表示動作をするだけで、その患者以外の患者情報を表示しないので、プライバシーの保護が図れるし、どのベッドの患者からの呼出であるかを看護師に知らせることができる。更に、液晶廊下灯は、呼出操作をした患者のベッド位置が識別できる表示動作をしても患者を特定できる氏名等を表示することがないので、呼出操作をした患者のプライバシー保護も図れる。
【０００９】
また、看護情報が表示されるので、廊下灯を確認した段階である程度の患者情報を把握することができ、看護業務をスムーズに行うことができる。
【００１０】
請求項２の発明は、請求項１に記載の発明において、液晶廊下灯は、液晶表示部が表示動作中に所定の操作が成されると、呼出操作をした患者に対応する患者表示領域に非表示とした情報を表示する制御を行う液晶廊下灯制御部を備えたことを特徴とする。
この構成により、液晶廊下灯を直接操作することで、非表示となっている患者名等の情報も表示されるので、看護業務をスムーズに行うことができる。
請求項３の発明は、患者からの呼び出しに応答するためのナースコール親機と、患者が看護師を呼び出すためのナースコール子機と、ナースコール子機からの呼び出しを看護師に知らせるために病室毎に設けた廊下灯と、ナースコール親機および廊下灯を制御する制御機とを有するナースコールシステムにおいて、廊下灯の少なくとも１つは、患者名等の患者情報を患者毎に表示する患者表示領域を有する液晶表示部を備えた液晶廊下灯であって、液晶廊下灯は、ナースコール子機からの呼び出しが成されたら、呼出操作をした患者に対応する患者表示領域を識別可能とする表示動作を行い、且つ呼出操作をした患者の患者情報のうち少なくとも患者氏名を非表示とする制御を行う液晶廊下灯制御部を備え、液晶廊下灯制御部は、液晶表示部が表示動作中に所定の操作が成されると、呼出操作をした患者に対応する患者表示領域に非表示とした情報を表示する制御を行うことを特徴とする。
この構成により、複数の患者情報を表示する液晶廊下灯を備えていても、液晶廊下灯は、呼出操作をした患者の患者表示領域を識別可能とする表示動作をするだけで、その患者以外の患者情報を表示しないので、プライバシーの保護が図れるし、どのベッドの患者からの呼出であるかを看護師に知らせることができる。更に、液晶廊下灯は、呼出操作をした患者のベッド位置が識別できる表示動作をしても患者を特定できる氏名等を表示することがないので、呼出操作をした患者のプライバシー保護も図れる。
また、液晶廊下灯を直接操作することで、非表示となっている患者名等の情報も表示されるので、看護業務をスムーズに行うことができる。
【００１１】
請求項４の発明は、請求項１に記載の発明において、液晶廊下灯は、人感センサを備えて、液晶表示部が表示動作中に人感センサが作動したら、呼出操作をした患者に対応する患者表示領域に非表示とした情報を表示する制御を行う液晶廊下灯制御部を備えたことを特徴とする。
この構成により、看護師等が液晶廊下灯に近づくことで非表示となっている患者氏名等の情報も表示されるので、看護業務をスムーズに行うことができる。
請求項５の発明は、患者からの呼び出しに応答するためのナースコール親機と、患者が看護師を呼び出すためのナースコール子機と、ナースコール子機からの呼び出しを看護師に知らせるために病室毎に設けた廊下灯と、ナースコール親機および廊下灯を制御する制御機とを有するナースコールシステムにおいて、廊下灯の少なくとも１つは、患者名等の患者情報を患者毎に表示する患者表示領域を有する液晶表示部を備えた液晶廊下灯であって、液晶廊下灯は、ナースコール子機からの呼び出しが成されたら、呼出操作をした患者に対応する患者表示領域を識別可能とする表示動作を行い、且つ呼出操作をした患者の患者情報のうち少なくとも患者氏名を非表示とする制御を行う液晶廊下灯制御部を備え、
液晶廊下灯は人感センサを備えて、液晶表示部が表示動作中に人感センサが作動したら、液晶廊下灯制御部は呼出操作をした患者に対応する患者表示領域に非表示とした情報を表示する制御を行うことを特徴とする。
この構成により、複数の患者情報を表示する液晶廊下灯を備えていても、液晶廊下灯は、呼出操作をした患者の患者表示領域を識別可能とする表示動作をするだけで、その患者以外の患者情報を表示しないので、プライバシーの保護が図れるし、どのベッドの患者からの呼出であるかを看護師に知らせることができる。更に、液晶廊下灯は、呼出操作をした患者のベッド位置が識別できる表示動作をしても患者を特定できる氏名等を表示することがないので、呼出操作をした患者のプライバシー保護も図れる。
また、看護師等が液晶廊下灯に近づくことで非表示となっている患者氏名等の情報も表示されるので、看護業務をスムーズに行うことができる。
【００１２】
請求項６の発明は、請求項２乃至５の何れかに記載の発明において、液晶廊下灯は、患者表示領域に非表示とした情報が表示されたら、所定時間後に少なくとも患者氏名を非表示にする制御を実施する液晶廊下灯制御部を備えたことを特徴とする。
この構成により、看護師が画面表示を消去し忘れても、少なくとも患者氏名が表示され続けることがなく、プライバシーの保護を図ることができる。
【発明の効果】
【００１３】
本発明によれば、呼出操作をした患者の患者情報を表示する液晶廊下灯を備えていても、呼び出しが成された際、呼出操作をした患者の患者情報を表示してもその患者以外の患者情報を表示しないので、プライバシーの保護が図れる。また、液晶廊下灯は、呼出操作をした患者のベッド位置が識別できる表示動作をしても患者を特定できる氏名等を表示することがないので、呼出操作をした患者のプライバシー保護も図ることができる。
【発明を実施するための最良の形態】
【００１４】
以下、本発明を具体化した実施の形態を、図面に基づいて詳細に説明する。図１は、本発明に係るナースコールシステムの実施形態の一例を示すシステム構成図であり、１は患者からの呼び出しに応答するためにナースステーションに設けられたナースコール親機、２は通話及びデータの送受を制御すると共に後述する液晶廊下灯の映像を制御する制御機、３は個々のベッドに設けられ、看護師を呼び出すためのベッド子機、４ａはトイレに設けられたトイレ用子機、４ｂは浴室に設けられた浴室用子機、５は病室毎に設置され、患者からの呼び出しを表示する廊下灯、６は個々の看護師が携帯して患者からの呼び出しに応答するための携帯端末、７はＰＢＸ交換機、８は携帯端末６と通信するための無線基地局、そして９は火災感知器、１０は火災受信機である。尚、ベッド子機３とトイレ用子機４ａ、更に浴室用子機４ｂとでナースコール子機を構成している。
【００１５】
ナースコール親機１は２台の親機で構成され、患者情報を個別に表示するエスカッション１２を備え、ＬＣＤ（液晶表示部）１３を有するＬＣＤ親機１ａと、パーソナルコンピュータ（以下、ＰＣとする）から成るＰＣ親機１ｂとから構成されている。ＰＣ親機１ｂは、ＰＣモニタ画面としてＬＣＤ親機１ａに比べて大画面のＬＣＤ１４を備え、エスカッションをそのＬＣＤ１４に表示する構成となっている。また、１５は患者と通話する為のハンドセットであり、双方の親機１ａ，１ｂに設けられている。
【００１６】
廊下灯５は、集合廊下灯５ａと液晶廊下灯５ｂとで構成され、集合廊下灯５ａは、対応する病室内の患者氏名が記入される記名プレートが取り付けられ、夫々の記名プレートに隣接して呼び出しを報知するランプや救護区分等の表示部が設けられている。また、液晶廊下灯５ｂは、ＬＣＤ１６を備え、呼出操作をした患者の患者情報である氏名や看護情報等をＬＣＤ１６に表示するよう構成されている。尚、この液晶廊下灯５ｂの患者情報は、ＰＣ親機１ｂから設定される。
【００１７】
図２は図１のシステムの液晶廊下灯５ｂの回路ブロック図を示している。図２に示すように、液晶廊下灯５ｂは、ＬＣＤ１６の所定の位置に文字や絵を表示するためのＬＣＤ駆動回路１８、ＬＣＤ１６を発光表示させるバックライト１９、バックライト１９へ電源供給するためのＡＣインバータ２０、患者からの呼び出しを知らせるための表示灯２１、液晶廊下灯５ｂの各回路を制御する液晶廊下灯制御部としての液晶廊下灯ＣＰＵ２２、ナースコール子機３，４ａ，４ｂを接続するための子機インターフェイス２３、画面データ等を保存するメモリ２４、人物の接近を感知する人感センサ２５、ＬＣＤ１６の表示画面を患者情報表示から待受画面に復旧させたり、逆に患者情報を表示させるための復旧ボタン２６を有している。また、この液晶廊下灯５ｂは、４人部屋の病室に設置される形態のものを示し、図３のＬＣＤ表示説明図に示すように、画面は略４分割され、４名の患者の患者情報を独立して表示する４つの患者表示領域Ｒ１〜Ｒ４を備えている。
【００１８】
このように構成されたナースコールシステムは次のように動作する。なお、ナースコール子機３，４ａ，４ｂからの呼出時におけるナースコール親機１または携帯端末６での応答、通話等に関しては本発明の要旨ではないので省略し、主に液晶廊下灯５ｂの動作に関して説明する。
【００１９】
（１）直接、液晶廊下灯を操作する場合
まず、表示動作を行っていない待受状態では、バックライト１９が消灯し、ＬＣＤ１６には何も表示されていない。この状態において、看護師が液晶廊下灯の前に立つと人感センサ２５がそれを感知し、液晶廊下灯ＣＰＵ２２の制御によってＡＣインバータ２０からバックライト１９に所定の電源供給が行われ、バックライト１９が点灯する。このとき、メモリ２４に予め記憶されている例えばキャラクタ画像から成る待受画面が読み出されて、ＬＣＤ駆動回路１８を介してＬＣＤ１６に待受画面を表示させる。
【００２０】
次に、近づいた看護師により復旧ボタン２６が所定の操作（例えば、長押し操作）されると、液晶廊下灯ＣＰＵ２２はこれを検出し、メモリ２４に記憶されている４名全ての患者情報を読み出し、ＬＣＤ駆動回路１８を動作させて、図３に示すようにＬＣＤ１６に各患者に割り当てた患者表示領域Ｒ１〜Ｒ４にすべて患者情報を表示させる。
この表示は、病室内のベッドの配置、即ち患者位置に対応しており、例えばＲ１は病室内の左奥のベッドに対応するよう表示している。このように、患者表示領域を、病室内レイアウトに合わせることで、患者を氏名と位置の双方で認識でき、緊急時に於いても間違えるようなことがない。
【００２１】
その後、人感センサ２５が人物を検知しなくなってから所定時間経過すると、液晶廊下灯ＣＰＵ２２の制御によりバックライト１９を消灯させ、待受状態に戻り患者情報の表示は消える。
このように、液晶廊下灯の復旧ボタンを操作することで、呼び出しのない状態でも患者情報を必要とするときは表示させることができ、看護業務等をスムーズに行うことができる。
【００２２】
（２）ナースコール子機からナースコール親機を呼び出す場合
図４はベッド子機３が操作されて呼び出しが成された場合のＬＣＤ１６の表示状態の変化を示し、（ａ）は全てを非表示または、キャラクター表示とする待受状態、（ｂ）はベッド子機３から呼び出しが成された直後の状態、（ｃ）は呼び出しが成され且つ所定の操作が成されて呼出操作をした患者情報を全て表示した状態を示している。
ベッド子機３が操作されて呼び出しが成されると、液晶廊下灯ＣＰＵ２２は、この呼出操作を検出して表示灯２１を点灯（或いは点滅）させると共に、呼出操作をした患者に対応する患者表示領域Ｒ１を点滅表示して識別可能とする。但し、点滅させだけで患者情報の表示はしない（図４（ｂ）に示すＲ１の領域）。
【００２３】
尚、呼び出しを受けて患者領域Ｒ１を識別可能に点滅させるだけでもよいが、救護区分、感染症情報、担当医師、担当看護師等の看護情報を表示して、患者を特定できる氏名等の情報以外を表示させるように構成しても良い。これにより、廊下灯を確認した段階である程度の患者情報を把握することが可能となる。
【００２４】
そして、呼び出しを知った看護師が液晶廊下灯５ｂに近づいて復旧ボタン２６を所定の操作（例えば、長押し操作）することで、液晶廊下灯ＣＰＵ２２は、メモリ２４に記憶された呼出操作をした患者の情報を読み出すと共に、操作されたベッド子機３に対応した患者表示領域（図４（ｃ）に示すＲ１の領域）に氏名を含む情報を表示させる。
その後、所定時間が経過したら、液晶廊下灯ＣＰＵ２２は、ＬＣＤ１６の表示を図４（ｂ）の状態に自動的に戻し、ナースコール子機側等で復旧操作がされると図４（ａ）の待受状態に戻す。
【００２５】
このように、複数の患者情報を表示する液晶廊下灯を備えていても、液晶廊下灯は、呼出操作をした患者の患者表示領域を識別可能とする表示動作をするだけで、その患者以外の患者情報を表示しないので、プライバシーの保護が図れるし、どのベッドの患者からの呼出であるかを看護師に知らせることができる。
また、液晶廊下灯は、呼出操作をした患者のベッド位置が識別できる表示動作をしても患者を特定できる氏名等を表示することがないので、呼出操作をした患者のプライバシー保護も図れる。
また、図４（ｃ）の表示状態から図４（ｂ）の表示状態に自動的に戻るので、看護師の操作忘れにより患者情報が液晶廊下灯で表示され続けることがない。
【００２６】
尚、呼び出しを受けた時の表示動作は、復旧ボタン２６の長押し操作のかわりに、人感センサ２５にて所定時間人物を検出したとき上述するように患者氏名等を表示するようにしてもよい。また、上記実施形態はベッド子機３からの呼び出しの場合を説明したが、トイレ用子機４ａ或いは浴室用子機４ｂから呼び出しが成された場合は、液晶廊下灯５ｂは患者表示部の表示を行わず、例えば「トイレ・バスコール」とＬＣＤ１６に表示する。
【００２７】
また、患者情報、看護情報には、氏名、性別、ベッド番号、患者コード、血液型、年齢、担当医師、担当看護師、チームナーシングのチーム番号、病名、感染症、救護区分、住所、連絡先等があるが、システムの設置環境或いは病院の方針に応じてこれらの中から主要な表示項目を選択して液晶廊下灯５ｂに表示させるようにすれば良い。この場合、一時画面としては患者の基本情報（氏名等）を表示させ、さらに所定の操作をすることによって、詳細情報（病名、住所、連絡先等）を表示可能とするとよい。但し、緊急時においては患者を特定できる情報（氏名等）とともに救護区分（単送、護送、独歩）を表示させておくと、救出時にすばやい対応ができるので好適である。
更に、画面の保存を各液晶廊下灯５ｂにメモリ２４をもたせて保存しているが、制御機２にメモリを持たせて保存し、制御機２の制御によって画面を読み出して液晶廊下灯５ｂに送信し、表示させるようにしてもよい。
また、液晶廊下灯５ｂは４名の患者の表示を可能としているが、二人部屋であれば２名の患者表示領域を設ければ良く、病室内のベッド数に合わせて患者表示領域を設ければ良い
【図面の簡単な説明】
【００２８】
【図１】本発明に係るナースコールシステムの実施形態の一例を示す構成図である。
【図２】液晶廊下灯の回路ブロック図である。
【図３】液晶廊下灯のＬＣＤ表示説明図である。
【図４】患者が呼出操作をした場合の液晶廊下灯のＬＣＤ表示を示し、（ａ）は待受状態、（ｂ）は呼び出しをした直後、（ｃ）は表示操作をした場合のＬＣＤ表示である。
【符号の説明】
【００２９】
１・・ナースコール親機、２・・制御機、３・・ベッド子機、５ｂ・・液晶廊下灯、１６・・ＬＣＤ、２２・・液晶廊下灯ＣＰＵ、２４・・メモリ、２５・・人感センサ、２６・・復旧ボタン、Ｒ１〜Ｒ４・・患者表示領域。
【図１】
0004800697.tif 000002
【図２】
0004800697.tif 000003
【図３】
0004800697.tif 000004
【図４】
0004800697.tif 000005